(57)【要約】      （修正有）【課題】メガネフレームのフロント部両側に取付けられて装飾効果の大きいツルを提供する。【解決手段】前ツル片７と後ツル片８を上方に滑らかな凸状を成したハーフリム９をロウ付けして連結し、そして該ハーフリム９の内周になじむプラスチック板を嵌めて両端を上記前ツル片７と後ツル片８から延びた前止着片１０と後止着片１１にネジ止めし、さらにハーフリム９の内周とプラスチック板上縁に形成した凹溝には水糸を嵌めてハーフリム９とプラスチック板６を連結している。【選択図】図２
0003154747.tif 000002
【実用新案登録請求の範囲】
【請求項１】
メガネフレームのフロント部両側に取付けられるツルにおいて、前ツル片と後ツル片を側リムにて連結し、該側リムにプラスチック板を嵌めたことを特徴とするメガネフレームのツル。
【請求項２】
メガネフレームのフロント部両側に取付けられるツルにおいて、前ツル片と後ツル片を上方に滑らかな凸状を成したハーフリムにて連結し、そして該ハーフリムの内周になじむプラスチック板を嵌めて両端を上記前ツル片と後ツル片から延びた前止着片と後止着片にネジ止めし、さらにハーフリムの内周とプラスチック板上縁に形成した凹溝には水糸を嵌めて上ハーフリムとプラスチック板を連結したことを特徴とするメガネフレームのツル。
【請求項３】
メガネフレームのフロント部両側に取付けられるツルにおいて、前ツル片と後ツル片を上方に滑らかな凸状を成したハーフリムにて連結し、そして該ハーフリムの内周になじむプラスチック板の上側を嵌めると共に、ハーフリムの内周とプラスチック板外周に形成した凹溝には水糸を嵌めてハーフリムとプラスチック板を連結し、さらに、プラスチック板の下側を上記ハーフリムの先端に連結した水糸にて保持したことを特徴とするメガネフレームのツル。
【請求項４】
メガネフレームのフロント部両側に取付けられるツルにおいて、前ツル片と後ツル片を上方に滑らかな凸状を成した上ハーフリムにて連結し、そして上ハーフリムの両端にはロック片を設け、又両端にロック片を形成した下ハーフリムを上記上ハーフリムと組み合わせると共に間にプラスチック板を嵌めてロック片をネジ止めしたことを特徴とするメガネフレームのツル。
【請求項５】
上記プラスチック板の一部を切欠いてリムとの間に隙間を形成した請求項１、請求項２、請求項３、又は請求項４記載のメガネフレームのツル。
【請求項６】
上記プラスチック板の内部に装飾板を埋着した請求項１、請求項２、請求項３、請求項４、又は請求項５記載のメガネフレームのツル。
【請求項７】
上記プラスチック板の表面に装飾板又は装飾シートを貼着した請求項１、請求項２、請求項３、請求項４、又は請求項５記載のメガネフレームのツル。
【考案の詳細な説明】
【技術分野】
【０００１】
本発明はメガネフレームのツルを対象とし、装飾部品を取付けたツルに関するものである。
【背景技術】
【０００２】
メガネは視力が低下した人がこれを矯正の為に着用するものであるが、掛ける場所が顔であることから、色々な装飾が施されている。近年の金属製メガネフレームはチタン材など非常に軽くてバネ製に優れた材質が好まれ、長時間にわたってメガネを掛けていても疲れが少ないように工夫されている。しかし、このような材質が好まれる背景には、メガネフレームとしての単なる機能性だけでなくスリムなメガネフレームとして構成出来るといった外観的な満足度が得られる点も大きい。
【０００３】
このようにメガネフレーム自体がファッション性を備えて構成されることは勿論であるが、さらにカラーメッキしたり、印刷を施したり、片隅に宝石等の装飾部品を取付ける等の工夫が凝らされている。特開平９−２８１４４８号に係る「メガネフレームフレーム装飾部品の取付け構造」は、ヨロイとツルの間に装飾部品を取付け、交換が容易であって、しかし外れることのないようにしている。そこで、ヨロイ又はツルの接合端面には孔を設けると共に、孔底には磁石を取付けし、一方の装飾部品には嵌合部を設けると共に磁石を備え、この嵌合部を孔に嵌合して磁気力にて互いに引き合わせて止着している。
【０００４】
実用新案登録第３１５０５４７号に係る「メガネの装飾品」は、メガネのフロント部又はツル端部に取付けられ、人目を引くようにツルから大きくはみ出す装飾品である。すなわち、装飾品は樹脂製の材料を切削加工して製作され、細かい凹凸部を有し、そしてツルの幅より大きくて上下方向に大きくはみ出し、メガネフレームのフトント部又はツルに設けた取付け面に接着剤を介して取付けている。
【０００５】
【特許文献１】特開平９−２８１４４８号に係る「メガネフレームフレーム装飾部品の取付け構造」
【特許文献２】実用新案登録第３１５０５４７号に係る「メガネの装飾品」
【考案の開示】
【考案が解決しようとする課題】
【０００６】
このように、メガネフレームを装飾する方法は多種多様化している。勿論、取り付けられる装飾部品も色々存在しているが、本考案はツルを対象とし、このツルに装飾部材としてのプラスチック板を取付けたメガネフレームのツルを提供する。
【課題を解決するための手段】
【０００７】
本考案に係るメガネフレームのツルは、フロント部の両側に蝶番などの継手を介して折畳み出来るように取付けられ、メガネを掛ける際には先端部に設けているモダンが耳に係止する。ところで、本考案のツルはその一部に装飾部材となるプラスチック板を取付けて該ツルを構成している。ここで、プラスチック板は透明、半透明、又は不透明の場合、そして色彩はブルー、レッド、イエローなど、特に限定するものではない。
【０００８】
ところで、プラスチック板を取付ける手段としては、止着片を設けてネジ止めする場合、又フロント部に設けてレンズが嵌るリムのようにプラスチック板を保持するように構成する場合がある。しかも、リムはハーフリムとして水糸と組合せ構造とする場合がある。そして、プラスチック板は一般に平坦なプレートが用いられるが、時には表面を滑らかな凸状曲面とすることも出来る。
【考案の効果】
【０００９】
本考案のツルはその一部にプラスチック板を取付けて構成している。従って、このプラスチック板をツルの一部として組み込むことで、従来には存在しないツル形態となり、メガネはフロント部が占めるウエイトが圧倒的に大きいが、本考案のツルはその外観上のウエイトが非常に大きくなって、メガネフレーム全体の意匠に大きく寄与することが出来る。すなわち、ツルが大きく見え、しかしプラスチック板である為にその重量は比較的軽くなる。
【図面の簡単な説明】
【００１０】
【図１】本考案のツルを備えたメガネフレーム。
【図２】本考案に係るメガネフレームのツル。
【図３】図２のＡ−Ａ断面拡大図。
【図４】本考案に係るメガネフレームのツル。
【図５】図４のＢ−Ｂ断面拡大図。
【図６】本考案に係るメガネフレームのツル。
【図７】本考案に係るメガネフレームのツル。
【考案を実施するための形態】
【００１１】
図１は本考案のツルを備えたメガネフレームを示す実施例である。メガネフレームとしての基本的な構造は従来通りであり、フロント部１と該フロント部１の両側に２本のツル２，２が蝶番３，３を介して折畳み出来るように取付けられている。そして、上記フロント部１は両リム４，４が連結部材５によって繋がれ、リム４，４にはレンズが嵌っている。
【００１２】
ところで、本考案のツル２はその一部にプラスチック板６が取付けられている。図２は本考案のツル２を示す実施例であり、同図の６はプラスチック板、７は前ツル片、８は後ツル片、９はハーフリムをそれぞれ表している。そして、前ツル片７には前止着片１０を有し、後ツル片８には後止着片１１を延ばしていて、上記プラスチック板６の両端はこれら前止着片１０と後止着片１１にネジ止めされている。
【００１３】
そして、プラスチック板６の上縁は上記ハーフリム９の内周になじむように滑らかな凸形状とし、これらハーフリム９とプラスチック板６の上縁は水糸１２を介して連結されている。図３は図２のＡ−Ａ断面拡大図を示しているように、ハーフリム９の内周には凹溝１３が形成され、又プラスチック板６の上縁にも凹溝１４が形成されていて、これら両凹溝１３，１４に水糸１２が嵌って互いに連結されている。そして、上記ハーフリム９は前ツル片７と後ツル片８をロウ付けにて連結・固定している。
【００１４】
図４は本考案のツル２を示す他の実施例である。上ハーフリム１５は前ツル片７と後ツル片８にその両端部がロウ付けにて連結しており、そして該上ハーフリム１５の両端にはロック片２４ａ，２５ａがロウ付けされ、下ハーフリム１６は上記上ハーフリム１５と対を成し、上ハーフリム１５と下ハーフリム１６とでプラスチック板１７を挟み込んで取付けている。すなわち、下ハーフリム１６の両端にはロック片２４ｂ，２５ｂがロウ付けされていて、ロック片２４ｂは上記ロック片２４ａにネジ止めされ、同じくロック片２５ｂはロック片２５ａにネジ止めされている。
【００１５】
従って、下ハーフリム１６はネジを弛めることで取外すことが出来、上ハーフリム１５と下ハーフリム１６とで挟まれているプラスチック板１７を取外し、別のプラスチック板に交換することが可能と成る。例えば、色彩の異なるプラスチック板、模様の異なるプラスチック板、さらに表面側に滑らかな凸状曲面を形成しているプラスチック板等、色々なプラスチック板を準備しておくことで、何時でも交換することが出来る。
【００１６】
図５は図４のＢ−Ｂ断面拡大図を示しているが、上ハーフリム１５及び下ハーフリム１６の内周には溝が形成され、この溝にプラスチック板１７の外周縁が嵌合している。すなわち、プラスチック板１７の外周縁には断面三角形の凸部１８を形成し、該凸部１８が上記上ハーフリム１５及び下ハーフリム１６の溝に嵌合することで、該プラスチック板１７は外れることなく保持される。
【００１７】
図６は本発明に係る他の実施例であり、プラスチック板６の内部に薄い装飾板１９を埋着している場合である。装飾板１９としては金属板やセラミック板に透かし模様を形成したものであり、プラスチック板６の装飾効果を一段と向上させることが出来る。装飾板１９を埋着する方法は特に限定しないが、プラスチック板６を２枚重ね構造として間に挟み込むことが出来、又は金型を用いて射出成形することも可能である。
【００１８】
ところで、該プラスチック板６はハーフリム２２と水糸２３にて保持されている。前リム片７と後リム片８はハーフリム２２にて連結され、プラスチック板６の上側はハーフリム２２に嵌ると共に水糸１２にて止着され、しかもプラスチック板６の下側はハーフリム２２の両先端に連結している水糸２３によって保持されている。すなわち、同図に示すプラスチック板６の取付け構造は、従来から多用されているハーフリムと水糸との組合せ構造にてレンズを保持するフロント部形態と同じである。
【００１９】
図７は本発明に係るツルを示す更なる別実施例を表している。このツル２ではハーフリム９とプラスチック板２１との間に隙間２０を形成している。従って、ハーフリム９とプラスチック板２１との間に水糸は存在せず、プラスチック板２１の両側端は前止着片１０と後止着片１１にネジ止めされている。
【００２０】
一方、前記図４に示す場合に類似したプラスチック板の形態としてプラスチック板を切欠いて上ハーフリム１５と下ハーフリム１７との間に隙間を形成することも出来る。この場合も、プラスチック板の両端部を切欠く場合とプラスチック板の上下部を切欠く場合がある。このように、本発明のツルはその１部にプラスチック板を取付けて該ツルの装飾効果を狙ったものである。
【符号の説明】
【００２１】
１  フロント部
２  ツル
３  蝶番
４  リム
５  連結部材
６  プラスチック板
７  前ツル片
８  後ツル片
９  ハーフリム
10  前止着片
11  後止着片
12  水糸
13  凹溝
14  凹溝
15  上ハーフリム
16  下ハーフリム
17  プラスチック板
18  凸部
19  装飾板
20  隙間
21  プラスチック板
22  ハーフリム
23  水糸
24  ロック片
25  ロック片
【図１】
0003154747.tif 000003
【図２】
0003154747.tif 000004
【図３】
0003154747.tif 000005
【図４】
0003154747.tif 000006
【図５】
0003154747.tif 000007
【図６】
0003154747.tif 000008
【図７】
0003154747.tif 000009